(57)【要約】      （修正有）【課題】特に加工時間の短縮とコストの低減を図ることのできる組合せ式木材破砕装置を提供する。【解決手段】キャリッジ１０と、駆動軸２０と、組合せ式回転カッター３０と、固定カッター４０と、を含む。前記キャリッジは、一つの枢接部と、駆動部と、カッター固定部１３とからなる。前記駆動軸は、駆動部の駆動によって回転できる。前記組合せ式回転カッターは、複数のカッター台円盤３１と、複数の回転カッター３２と、複数の固定部材を有し、一つのカッター台円盤は少なくとも一対のロック用凹部３１１と複数の位置決め孔３１２とを備える。隣接するカッター台円盤の回転カッター同士は所定の角度θ1をずらして配置される。前記固定カッターは、複数の回転カッターの刃部に対応して、キャリッジのカッター固定部に取り付けられる。よって、高い回転切削効果が得られ、故に加工時間が短縮し、コストが低減することができる。【選択図】図２
0003145090.tif 000002
【実用新案登録請求の範囲】
【請求項１】
キャリッジと、駆動軸と、組合せ式回転カッターと、固定カッターと、を含む組合せ式木材破砕装置であって、
前記キャリッジは、少なくとも一対の枢接部と、一つの駆動部と、少なくとも一つのカッター固定部とを備え、
前記駆動軸は、前記駆動部の駆動によって回転され、
前記組合せ式回転カッターは、少なくとも、複数のカッター台円盤と、複数の回転カッターと、複数の固定部材とを備え、
（ａ）前記カッター台円盤は、前記カッター台円盤ごとに一つのカッター直径と一つのカッター厚みを有すると共に、カッター台円盤ごとに少なくとも一対のロック用凹部と複数の位置決め孔を有し、
（ｂ）前記回転カッターは、対応する前記カッター台円盤に取り付けられ、前記回転カッターごとに一つの刃部と、対応する前記ロック用凹部に固定される一つの柄部を有し、隣接するカッター台円盤の回転カッター同士が所定の角度を形成し、
（ｃ）前記固定部材は、前記位置決め孔に貫通して、隣接する前記カッター台円盤を固定し、
前記固定カッターは、前記回転カッターの刃部に対応して、前記キャリッジのカッター固定部に取り付けられることを特徴とする、組合せ式木材破砕装置。
【請求項２】
前記カッター固定部は、スピンロック部材と、押出しブロックと、スピンロック孔とを備え、前記スピンロック部材で前記押出しブロックを通して、前記スピンロック孔にロックし、前記押出しブロックを前記回転カッターの柄部に緊密に圧迫させることによって、前記回転カッターを前記カッター台円盤に確実に固定することを特徴とする、請求項１に記載の組合せ式木材破砕装置。
【請求項３】
前記複数の位置決め孔は、複数の凹台を有する位置決め孔と複数の凹台を有しない位置決め孔をずらして配列することにより構成されることを特徴とする請求項１に記載の組合せ式木材破砕装置。
【考案の詳細な説明】
【技術分野】
【０００１】
本考案は、木材破砕装置に係り、特に全体の加工時間が短く、メンテナンスが簡単で、応用範囲が広く、しかも低コストと、高度な回転切削効果を図ると共に、被破砕木の入れ幅を弾力的に調整することができる組合せ式木材破砕装置に関する。
【背景技術】
【０００２】
図１は、公知の木材破砕機のカッター９０を示すものである。同図に示すように、前記カッター９０は一体成形であり、その重量と体積は大きいため、加工・製造時に、持ち上げ、運搬、位置決め、測量、加工などすべての工程は容易ではない。特にサイズが大きいカッター９０を製造する場合、さらに大型の加工機械を使用しなければならない。そのため、全体の加工時間が長く、コストも高い。
【０００３】
また、当該カッター９０のいずれの刃９１が磨耗すると、磨耗した部分の刃９１のみを交換又は修理することができず、カッター９０を全部交換しなければならないため、極めて不便である。
【考案の開示】
【考案が解決しようとする課題】
【０００４】
そこで、本考案の主な目的は、全体の加工時間とコストを低減できる組合せ式木材破砕装置を提供することにある。
【０００５】
本考案の別の目的は、回転切削の効果を高めることができる組合せ式木材破砕装置を提供することにある。
【０００６】
本考案の別の目的は、メンテナンスが簡単である組合せ式木材破砕装置を提供することにある。
【０００７】
本考案の別の目的は、応用範囲が広い組合せ式木材破砕装置を提供することにある。
【０００８】
本考案の別の目的は、被破砕木の入れ幅を弾力的に調整することができる組合せ式木材破砕装置を提供することにある。
【課題を解決するための手段】
【０００９】
本願の請求項１の考案は、キャリッジと、駆動軸と、組合せ式回転カッターと、固定カッターと、を含む組合せ式木材破砕装置であって、前記キャリッジは、少なくとも一対の枢接部と、一つの駆動部と、少なくとも一つのカッター固定部とを備え、前記駆動軸は、前記駆動部の駆動によって回転され、前記組合せ式回転カッターは、少なくとも、複数のカッター台円盤と、複数の回転カッターと、複数の固定部材とを備え、
（ａ）前記カッター台円盤は、前記カッター台円盤ごとに一つのカッター直径と一つのカッター厚みを有すると共に、カッター台円盤ごとに少なくとも一対のロック用凹部と複数の位置決め孔を有し、
（ｂ）前記回転カッターは、対応する前記カッター台円盤に取り付けられ、前記回転カッターごとに一つの刃部と、対応する前記ロック用凹部に固定される一つの柄部を有し、隣接するカッター台円盤の回転カッター同士が所定の角度（θ1）をずらし、
（ｃ）前記固定部材は、前記位置決め孔に貫通して、隣接する前記カッター台円盤を固定し、
前記固定カッターは、前記回転カッターの刃部に対応して、前記キャリッジのカッター固定部に取り付けられることを特徴とする、組合せ式木材破砕装置である。
【００１０】
請求項２の組合せ式木材破砕装置によると、前記カッター固定部は、スピンロック部材と、押出しブロックと、スピンロック孔とを備え、前記スピンロック部材で前記押出しブロックを通して、前記スピンロック孔にロックし、前記押出しブロックを前記回転カッターの柄部に緊密に圧迫させることによって、前記回転カッターを前記カッター台円盤に確実に固定する。
【００１１】
さらに、請求項３の組合せ式木材破砕装置によると、前記複数の位置決め孔は、複数の凹台を有する位置決め孔と複数の凹台を有しない位置決め孔をずらして配列することにより構成される。
【考案の効果】
【００１２】
本考案は上記の課題を解決するものであり、以下に示すような効果を達成できる。
１．全体の加工時間が短く、しかもコストが低い。即ち、組合せ式回転カッター全体は隣接するカッター台円盤同士が互いにロックして一体化し、一つのカッター台円盤は厚さ数センチの円盤であるため、通常の加工工具によって製造できる。また、ロック用凹部の加工も極めて簡単であるため、全体の加工が容易で、加工時間が短くコストも低い。
【００１３】
２．高い回転切削効果が得られる。即ち、本考案の組合せ式回転カッターは、重量が重く、慣性も大きいため、高速回転時に大きな運動エネルギーが得られる。また、隣接するカッター台円盤の回転カッター同士は一定の角度をずらし、結局、交替で切削すると共に、大鋸屑を出すことができるので、高い切削効果が得られる。
【００１４】
３．メンテナンスが簡単である。ある一つの回転カッターが故障したら、故障のあったカッターだけを取り出して交換できるため、メンテナンスが非常に簡単である。
【００１５】
４．応用範囲が広い。本考案の切削効果が高いため、一般木材のほかに、硬い材質の木材、例えば、椰子、木の幹、枝、木製廃桟板、木製家具なども切削できる。さらに、農業、工業、環境事業などの幅広い分野に応用できる。
【００１６】
５．被破砕木の入れ幅を弾力的に調整することができる。本考案の組合せ式回転カッター３０の砕木作業幅Ｗ（図３を参照、被破砕木の入れ幅ととも呼ぶ）は、カッター台円盤３１の数によって決められるため、比較的大型の組合せ式木材破砕機を製造する場合、キャリッジ１０と駆動軸２０の長さを長くすると同時に、多数のカッター台円盤３１を組み立てれば良い（砕木作業幅Ｗの拡大）。逆に、小型（砕木作業幅Ｗの縮小）の組合せ式木材破砕機に改造することも簡単にできる。したがって、組合せ式木材破砕装置の砕木作業幅を弾力的に調整することができる。
【考案を実施するための最良の形態】
【００１７】
図面２、３、５、６を参照する。本考案は組合せ式木材破砕装置であって、キャリッジ１０と、駆動軸２０と、組合せ式回転カッター２０と、固定カッター４０を含む。
【００１８】
前記キャリッジ１０は、少なくとも一対の枢接部１１と、一つの駆動部１２及び一つのカッター固定部からなる。前記駆動軸２０は、前記駆動部１２の駆動によって回転できる。
【００１９】
前記組合せ式回転カッター３０は、少なくとも、（ａ）複数のカッター台円盤３１と、（ｂ）複数の回転カッター３２と、（ｃ）複数の固定部材３３とを備える。
【００２０】
（ａ）前記複数のカッター台円盤３１は、カッター台円盤３１ごとに一つのカッター直径Ｄ１と一つのカッター厚みＴ１を有し、カッター台円盤３１ごとに少なくとも一対のロック用凹部３１１と複数の位置決め孔３１２を有する。
【００２１】
（ｂ）前記複数の回転カッター３２は、対応するカッター台円盤３１に取り付けられ、回転カッター３２ごとに一つの刃部３２１と、一つの柄部３２２及び一つのカッター固定部３２３（図４を参照）を有する。前記カッター固定部３２３は、前記柄部３２２を対応するロック用凹部３１１に固定するものであり、また、隣接するカッター台円盤３１の回転カッター３２同士は所定の角度θ1をずらしている。
【００２２】
（ｃ）前記複数の固定部材３３は、複数の位置決め孔３１２に貫通して、隣接するカッター台円盤３１をロック固定するのである。
【００２３】
前記固定カッター４０は、前記複数の回転カッター３２の刃部３２１に対応して、前記キャリッジ１０のカッター固定部１３に取り付けられる。
【００２４】
図４を参照する。前記複数の位置決め孔３１２は、複数の凹台を有する位置決め孔３１２Ａと複数の凹台を有しない位置決め孔３１２Ｂがずらして配列することにより構成される。そして、固定部材３３によって、すべてのカッター台円盤３１の凹台を有する位置決め孔３１２Ａに貫通し、隣接するカッター台円盤３１の凹台を有しない位置決め孔３１２Ｂにロックする。即ち、隣接する二つのカッター台円盤３１を一体にロック固定する。この方法によって、すべての（一枚目のカッター台円盤３１を二枚目のカッター台円盤３１にロック固定し、三枚目のカッター台円盤３１を四枚目のカッター台円盤３１にロック固定する。以下は同一）カッター台円盤３１を一体にロック固定できる。
【００２５】
また、図４と図７を参照する。前記カッター固定部３２３は、スピンロック部品３２３Ａと、押出しブロック３２３Ｂと、スピンロック孔３２３Ｃからなる。前記スピンロック部品３２３Ａで押出しブロック３２３Ｂを通して、スピンロック孔３２３Ｃにロックする。前記押出しブロック３２３Ｂを前記回転カッター３２の柄部３２２に密接に圧迫させることによって、前記回転カッター３２を前記カッター台円盤３１に確実に固定する。
【００２６】
ここで、前記押出しブロック３２３Ｂは一側面が斜面（テーパー角θ２を有する）であるため、ますます確実にロックすることができる。
【００２７】
本考案のカッター台円盤の組合せ応用には、少なくとも以下のような三種類がある。
＜イ＞カッターの長さが自由調整できる。即ち、すべてのカッター台円盤３１は厚みＴ１（図３を参照）を有するため、実際の必要に応じて該カッター台円盤３１の数量を配置できる。これによって、前記組合せ式回転カッター３０の長さを調整し、砕木作業幅Ｗをさらに変更できる。
【００２８】
＜ロ＞回転カッターの角度が自由調整できる。前記回転カッター３２は実際の切削目的によって、前記カッター台円盤３１の複数の位置決め孔３１２を利用して、隣接する回転カッター３２が所望の角度に調整し、最高の切削効果を実現することができる。
【００２９】
＜ハ＞回転カッターの種類が交換できる。切削状況に応じて、異なる形状や材質の回転カッター３２を取り替え、所望の切削効果を実現することができる。
【図面の簡単な説明】
【００３０】
【図１】従来の木材破砕機のカッターの斜視図
【図２】本考案の組合せ式木材破砕装置の斜視図
【図３】本考案の組合せ式木材破砕装置の平面図
【図４】本考案の組合せ式回転カッターの一部構造の分解斜視図
【図５】本考案の組合せ式木材破砕装置の作動過程の説明図
【図６】図５における回転カッターと固定カッターの作動過程の説明図
【図７】本考案の一部構造の拡大断面図
【符号の説明】
【００３１】
１０      キャリッジ
１１      枢接部
１２      駆動部
１３      カッター固定部
２０      駆動軸
３０      組合せ式回転カッター
３１      カッター台円盤
３１１    ロック用凹部
３１２    位置決め孔
３１２Ａ  凹台を有する位置決め孔
３１２Ｂ  凹台を有しない位置決め孔
３２      回転カッター
３２１    刃部
３２２    柄部
３２３    カッター固定部
３２３Ａ  スピンロック部材
３２３Ｂ  押出しブロック
３２３Ｃ  スピンロック孔
３３      固定部材
４０      固定カッター
９０      カッター
９１      刃
Ｄ１      カッター直径
Ｔ１      カッター厚み
Ｗ        砕木作業幅
θ1       所定の角度
θ２      テーパー角
【図１】
0003145090.tif 000003
【図２】
0003145090.tif 000004
【図３】
0003145090.tif 000005
【図４】
0003145090.tif 000006
【図５】
0003145090.tif 000007
【図６】
0003145090.tif 000008
【図７】
0003145090.tif 000009